(57)【要約】  無線デバイス（３０６）がトリガ・イベントを検出していると判断するためのシステム、無線デバイス（３０６）および方法。トリガ・イベントは、ＷＬＡＮボーダ・セル（２１０）を検出するステップと、出口ポータル（３０２）からの第１の信号を検出するステップと、または信号の品質の劣化を検出するステップとを含む。次に、無線デバイス（３０６）は、出口ポータル（３０２）からの少なくとも１つの信号を検出し、出口ポータル（３０２）から受信した信号の順番により、無線デバイス（３０６）が、第１の通信システムの有効範囲エリアから第２の通信システムの有効範囲エリアに移動していると判断し、無線デバイス（３０６）が、第１の通信システムの有効範囲エリアから第２の通信システムの有効範囲エリアに移動していると判断した場合に、第２の無線通信システムとの登録シーケンスを開始し、第２の無線通信システムを介して現在のおよび以降の呼出しを行う。
2007503759.tif 000002
【特許請求の範囲】
【請求項１】
出口ポータルからの信号を検出するステップと、
無線デバイスが、前記出口ポータルからの信号を検出した結果、第１の無線通信システムの有効範囲エリアから第２の無線通信システムの有効範囲エリアに移動していると判断するステップと、
前記無線デバイスが、前記第１の通信システムの有効範囲エリアから前記第２の通信システムの有効範囲エリアへ移動していると判断して、前記無線デバイスが前記第２の無線通信システムに登録されてない場合には前記第２の無線通信システムとの登録シーケンスを開始するステップと、
前記第２の無線通信システムを介して現在および以降の呼出しのうちの１つを行うステップと、を含む方法。
【請求項２】
出口ポータルからの第２の信号を検出するステップと、
前記出口ポータルから受信した信号の順番により、前記無線デバイスは、第１の通信システムの有効範囲エリアから第２の通信システムの有効範囲エリアに移動していると判断するステップと、をさらに含む請求項１に記載の方法。
【請求項３】
前記第１の無線通信システムが無線ローカル・エリア・ネットワーク（ＷＬＡＮ）であり、前記第２の無線通信システムがワイド・エリア・ネットワーク（ＷＡＮ）である、請求項１に記載の方法。
【請求項４】
前記第１の無線通信システムがワイド・エリア・ネットワーク（ＷＡＮ）であり、前記第２の無線通信システムが無線ローカル・エリア・ネットワーク（ＷＬＡＮ）である、請求項１に記載の方法。
【請求項５】
前記出口ポータルが、Ｂｌｕｅｔｏｏｔｈアクセス・ポイント、赤外線送信機、電子セキュリティ検出装置、および第２の連続している無線ローカル・エリア・ネットワーク（ＷＬＡＮ）ボーダ・セルのうちの少なくとも１つを備える請求項１に記載の方法。
【請求項６】
出口ポータルからの信号を検出する前記ステップが、トリガ・イベントの検出により行われる請求項１に記載の方法。
【請求項７】
移動通信装置であって、
それぞれが、無線情報を送受信するための無線通信システム上で動作するように設計されている少なくとも２つの送受信機と、
前記移動通信装置の動作を管理するために、各送受信機に通信できるように結合しているコントローラと、
その各プロトコルにより通信するための命令を有し、前記コントローラに通信できるように結合している第１の無線通信システム・スタックと、
その各プロトコルにより通信するための命令を有し、前記コントローラに通信できるように結合している第２の無線通信システム・スタックと、
出口ポータルからの信号を受信するための手段と、
前記コントローラ、前記第１の無線通信システム・スタック、前記第２の無線通信システム・スタック、および出口ポータルからの信号を受信するための前記手段と通信できるように結合していて、出口ポータルからの信号を受信するための手段が、前記出口ポータルから少なくとも１つの信号を受信したと判断した場合に、前記第１の無線通信システムから前記第２の無線通信システムにハンドオーバを行う時期を判断するためのハンドオーバ・マネージャと、を備える移動通信装置。
【請求項８】
出口ポータルから信号を受信するための前記手段が、Ｂｌｕｅｔｏｏｔｈ送受信機、赤外線センサ、および電子セキュリティ検出装置のうちの少なくとも１つを備える請求項７に記載の移動通信装置。
【請求項９】
移動通信システムであって、
少なくとも１つの入口／出口点を有する構造と、
前記少なくとも１つの入口／出口点のところに位置していて、移動通信装置に信号を送信するための少なくとも１つの出口ポータルと、
無線ローカル・エリア・ネットワーク通信システムの、前記構造内で通信有効範囲を提供する少なくとも１つのセルと、
前記構造の外側で通信有効範囲を提供するために、無線ローカル・エリア・ネットワークの前記少なくとも１つのセルと重なっている第２の通信システムの少なくとも１つの有効範囲セルと、
前記無線ローカル・エリア・ネットワーク通信システムの前記少なくとも１つのセル、および前記第２の通信システムの前記少なくとも１つのセルと通信できるように結合していて、前記少なくとも１つの出口ポータルから信号を受信したと判断した場合に、一方の無線通信システムから他方の無線通信システムにハンドオーバする時期を判断するための少なくとも１つの移動加入者デバイスとを備える移動通信システム。
【請求項１０】
前記構造の入口／出口点のところに位置していて、無線ローカル・エリア・ネットワーク通信システムと前記第２の通信システムとの間に移行領域を形成する前記無線ローカル・エリア・ネットワーク通信システムの少なくとも１つのボーダ・セルをさらに有する請求項９に記載の移動通信システム。
【発明の詳細な説明】
【技術分野】
【０００１】
本発明は、概して、無線通信の分野に関し、特に、出口点におけるＷＬＡＮとＷＡＮとの間のハンドオーバ行動を改善するためのシステムおよび方法に関する。
【背景技術】
【０００２】
多くのセルラ通信システムは、種々のタイプのシステムおよびプロトコルの組合せからなる。同様に、携帯電話および携帯情報端末装置のようなこれらのネットワーク上で使用するデバイスの多くは、多モード・デバイスとなるように設計されている。すなわち複数のネットワーク上で動作するように設計されている。理想的には、デバイスがあるネットワークまたは他のネットワーク上に位置する場合、エンドユーザに劣化または他のマイナスの影響があってはならないことが望ましい。しかし、いくつかの要因が、異なるネットワーク上での性能に影響を与える。他のシステムと比較した場合、あるシステム上においては電池の寿命が短くなる場合がある。何故なら、その特定のモードで動作するために必要なハードウェアが、他のモードの場合よりもより多くのエネルギーを消費する場合があるからである。また、コストもシステム毎に有意に異なり、加入者は、特定のネットワークを使用することができるように余分の料金を払う場合もある。
【０００３】
職場および大学のような多くの場所では、特定のサイトまたはビル内で無線ローカル・エリア・ネットワーク（ＷＬＡＮ）の展開を始めている。これらのシステムの場合、多モード動作を有するデバイスは、ビルまたはサイト内ではＷＬＡＮ上で動作し、ユーザがＷＬＡＮの有効範囲エリアから出た場合には、ＧＳＭ（広域自動車通信システム）、ＣＤＭＡ（符号分割多元接続）、ＷＣＤＭＡ（広帯域符号分割多元接続）、ｉＤＥＮ（統合デジタル・エンハンスト・ネットワーク）、またはＴＤＭＡ（時分割多元接続）セルラ・システムのようなマクロまたはワイド・エリア・ネットワーク（ＷＡＮ）に切り替わる。ＷＬＡＮシステム上においては、呼出しは、通常、ボイス・オーバＩＰにより行われ、ユーザおよびセルラ・システムの両方にとってコストが大幅に安くなる。
【０００４】
ＷＬＡＮおよびＷＡＮシステム上で動作することができるこれらの多モード・デバイスは、ＷＬＡＮ上に位置している間に、ＷＡＮ上のサービスを探すために有意の量の電池の電源を消費する場合がある。この電池の電源のうちのあるものは、ＷＬＡＮ有効範囲が良好な場合には単に無駄なエネルギーであり、ＷＬＡＮが好適な接続状態にある場合には、ＷＡＮバックグラウンドの走査は必要ない。しかし、デバイスがＷＡＮサービスについて何も知らない場合には、受け入れることができるサービスを発見するのに数分かかることを覚悟しなければならないし、そのため直ちに検索を開始しなければならない。さらに面倒なことに、非常に頻繁に、デバイスが、すべての可能な周波数およびサポートされている無線アクセス技術（ＲＡＴ）を検索し、好適なＲＡＴが位置するチャネルを発見しなければならないばかりでなく、好適なサービス・プロバイダも発見しなければならない２つ以上のサービス・プロバイダがＷＡＮ側上に位置する。サービスを発見したとしても、そのオペレータが、デバイスが移動し、供給を受けることができるものを引き続き検索し、解決しなければならない当該アプリケーションに対する所望の機能をサポートできない場合がある。このことは時間の無駄であるばかりでなく、電池の寿命が短くなる。
【０００５】
この多モード・システムを効率的にするには、システム間で継ぎ目のない統合を行うことが望ましい。あるシステム上で進行中の呼を、呼の喪失、不必要な課金、電池の寿命の有意の短縮のようなエンドユーザにとって重大な結果を起こさないで、異なるシステムに転送できるということは重要なことである。ほとんどの場合、他のシステムにいつハンドオーバするのかは、実際の加入者デバイスが決定しなければならない。
【発明の開示】
【発明が解決しようとする課題】
【０００６】
この決定を行うためのいくつかの技術がある。第１の最も一般的に使用されている方法は、図１の「無理矢理に行う」方法である。図１は、ビル１０８内で多数の重なっているＷＬＡＮセル１０４を含む、重なっているＷＡＮセル１０２からなる典型的なセルラ通信システムを示す。現在、ＷＬＡＮ有効範囲とＷＡＮ有効範囲間の呼出しのハンドオーバは、相対的信号強度をベースとしている。しかし、ビル構造、障害物等により有効範囲が均一でないために、あるシステムから他のシステムへの呼のハンドオーバの開始を正確に高い信頼性で行うことは困難であり、誤りを起こし易い。両方のシステムを走査するとモバイル装置の電池の寿命が短くなる。さらに、ビルの内部になんらかのＷＬＡＮ有効範囲がカバーできない場所があるために、この決定を行うプロセスは面倒になり、ユーザが、例えば、階段の吹抜けのようなＷＬＡＮの有効範囲がカバーできない場所を歩いている場合には、短い時間しかＷＡＮ呼出しを行えないことがある。一方、ＷＬＡＮの有効範囲のエリア内においては、移動加入者デバイス１０６は、あるシステムに対してハードウェアおよびソフトウェア・スタックを継続的に稼働して、他のシステムに対してバックグラウンド・チェックを行う。これにより、ユーザがいつＷＬＡＮシステムの有効範囲から出ても、ユーザが気が付くほどの中断を起こさないで、呼は確実にＷＡＮシステムにハンドオーバされる。この方法の問題は、電池の寿命に有意な悪影響があることである。何故なら、デバイスはハードウェアの両方の組を同時に動作しなければならないからである。さらに、ＷＬＡＮチップ・セットが追加の電源を必要とするので、単一モードのデバイスと比較した場合、これらのデバイスの電池の寿命は実際に固有の劣化を起こす。ＷＬＡＮシステム上で呼出しを行うとコストを節約することができるが、この利点は電池の寿命が短くなるので帳消しになる。
【０００７】
図２は、もっとインテリジェントなハンドオーバ方法を使用する従来技術のシステムを示す。この例の場合には、ボーダ・セル２１０が、ビル１０８の入口および出口のドア２１２付近に位置する。ボーダ・セル２１０は、通常、入口および出口点２１２近くのＷＬＡＮアクセス・ポイント（ＡＰ）によりサービスを受ける。このセルは、従来からボーダ・セル２１０と呼ばれ、ボーダ・セルＡＰは、セルをボーダ・セル２１０として識別する加入者ユニット（ＳＵ）１０６に情報を送信する。ＡＰは、通常、このような情報を８０２．１１ビーコン・フレームおよびプローブ・レスポンスで送信する。通常、ユーザがＷＬＡＮの有効範囲エリア１０４から出る前に、加入者ユニットは、最初にボーダ・セル２１０を検出する。ＳＵ１０６は、セルラ・スタックを開始し、呼が適当な時間フレーム中にハンドオーバされるように、ボーダ・セル２１０情報を検出した場合、セルラ・ネットワーク１０２との登録を開始する。ＳＵ１０６がＷＬＡＮ有効範囲エリア１０４の範囲から出る前に、呼をＷＡＮ１０２に渡さなければならない。
【０００８】
ユーザがＷＬＡＮの有効範囲エリア１０４から出ると、ビル１０８の外側における室内ＷＬＡＮの有効範囲の急速な減衰による呼の喪失を避けるために、ＷＬＡＮ１０４からマクロ・ネットワーク１０２へのハンドオーバをできるだけ早く行う必要がある。さらに、ＳＵ１０６が実際にＷＬＡＮの有効範囲エリア１０４を出ていない時に、加入者のマクロ・ネットワーク１０２へのハンドオーバに関連するサービス・コストを避けるために、ハンドオーバの決定を時期尚早に行ってはならない。同様に、ビルから出る時、または通路近くで一服している際に（例えば、ＷＬＡＮの有効範囲エリア１０４の出口付近で喫煙している際に）呼出しを行っているユーザは、都合の悪いことに間違ってＷＡＮ１０２にハンドオーバされる。
【課題を解決するための手段】
【０００９】
要するに、本明細書に記載の本発明の好ましい実施形態は、入口／出口点のところでＷＬＡＮハンドオーバ行動を改善するためのシステム、方法、移動加入者デバイス、およびコンピュータ読み取り可能媒体である。本発明の好ましい実施形態によれば、システム、コンピュータ読み取り可能媒体、移動加入者デバイスおよび方法は、少なくとも１つの出口ポータルからの２つの連続している信号を検出し、出口ポータルから受信する信号の順序により、無線デバイスが、第１の通信システムの有効範囲エリアから第２の通信システムの有効範囲エリアへ移動していると判断し、無線デバイスが第１の通信システムの有効範囲エリアから第２の通通信システムの有効範囲エリアに移動しているとの判断に応じて、第２の無線通信システムとの登録シーケンスを開始し、第２の無線通信システムを介して現在および以降の呼出しを行う。
【００１０】
出口ポータルからの第１の信号の検出は、トリガ・イベントの検出により行われる。トリガ・イベントは、ＷＬＡＮボーダ・セルの検出、または信号品質の劣化またはＷＬＡＮを介しての呼の開始の検出を含むことができる。
【００１１】
さらに、本発明のある実施形態によれば、無線ローカル・エリア・ネットワークのボーダ・セルを検出するステップは、ＷＬＡＮアクセス・ポイントから状態情報を受信するステップと、状態情報のボーダ・セルの表示が設定されたと判断するステップを含む。状態情報は、ボーダ・セル表示およびワイド・エリア・ネットワーク（ＷＡＮ）情報インジケータを含む。
【００１２】
さらに、この方法は、ＷＡＮ情報インジケータが設定されたと判断し、使用できるＷＡＮ情報についてＷＬＡＮアクセス・ポイントに問い合わせ、またはアクセス・ポイントが送信したビーコン・フレームから使用できるＷＡＮ情報を復号し、ワイド・エリア・ネットワークを通して通信を行うために、使用できるＷＡＮ情報を使用することにより、ＷＬＡＮボーダ・セル・アクセス・ポイントから使用できるＷＡＮの有効範囲に関する情報を受信することにより改善することができる。使用できるＷＡＮ情報は、２つ以上のＷＡＮシステムに関する情報を含むことができ、通常、ローカル的に使用することができる複数のＷＡＮシステムをカバーする。使用できるＷＡＮ情報は、符号化方式、タイミング情報等のようなチャネル情報と一緒に、１つまたは複数のサービス・プロバイダ、ＧＳＭ、ＵＭＴＳ、ＣＤＭＡ、ＷＣＤＭＡおよびＧＰＲＳのような１つまたは複数の無線アクセス技術（ＲＡＴ）、１つまたは複数のチャネル周波数のリストを含む。
【００１３】
出口ポータルは、少なくとも１つのＢｌｕｅｔｏｏｔｈアクセス・ポイント、赤外線送信機、典型的な電子セキュリティまたは盗難防止システムで使用するような電子セキュリティ検出装置、および第２の連続している無線ローカル・エリア・ネットワーク（ＷＬＡＮ）ボーダ・セルを有することができる。
【００１４】
本発明の好ましい実施形態は、無線ローカル・エリア・ネットワーク（ＷＬＡＮ）からの呼をワイド・エリア・ネットワーク（ＷＡＮ）にハンドオーバすることもできるし、その逆を行うこともできる。ＷＬＡＮは、ＩＥＥＥ標準８０２．１１またはＢｌｕｅｔｏｏｔｈのようなプロトコルを使用することができる。ＷＡＮは、符号分割多元接続（ＣＤＭＡ）、広帯域符号分割多元接続（ＷＣＤＭＡ）、時分割多元接続（ＴＤＭＡ）、広域自動車通信システム（ＧＳＭ）、ＩＥＥＥ８０２．２０および統合デジタル強化ネットワーク（ｉＤＥＮ）のようなセルラ・システムで使用するプロトコルのようなプロトコルを使用することができる。
【００１５】
他の実施形態は、以下に説明する内部および外部ボーダ・セルを使用する。この実施形態の場合には、ＳＵ１０６は、内部ボーダ・セルである第１の無線ローカル・エリア・ネットワークのボーダ・セルを検出した場合に、第２の無線通信システムとの登録シーケンスを開始し、所定の長さの時間内に、外部ボーダ・セルである第２の無線ローカル・エリア・ネットワークのボーダ・セルを検出し、無線ローカル・エリア・ネットワークの外部ボーダ・セルを検出した場合に、無線デバイスが、第１の通信システムの有効範囲エリアから第２の通信システムの有効範囲エリアへ移動中であると判断し、第２の無線通信システムを介して現在および以降の呼出しを行う。
【００１６】
本発明の好ましい実施形態は有利である。何故なら、これらの実施形態を使用すれば、無線デバイスは、他のシステムについてのチェックを行うかどうか、登録を開始するかどうか、および呼出しを無線デバイスの実際の動きをベースとして、他のネットワークにハンドオーバするかどうかについて、もっとインテリジェントな決定を行うことができるからである。これにより、ＷＡＮシステム上の不必要な負荷を避けることができ、それによりコストを節減でき、無線デバイスの電池の寿命を延ばすことができる。これらの利点は、通常、無線デバイスが、ＷＬＡＮスタックおよびセルラ（ＷＡＮ）スタック両方を同時に稼働するボーダ・セル・エリア内で長い時間を過ごすユーザにとって特に有り難いものである。
【００１７】
図面全体を通して、類似の参照番号が、同じかまたは機能的に類似の素子を示す添付の図面および下記の詳細な説明は、本明細書に含まれていて、その一部を形成するが、図面は種々の実施形態を示すためのものであり、説明は本発明による種々の原理およびすべての利点を説明するためのものである。
【発明を実施するための最良の形態】
【００１８】
必要に応じて、本明細書に本発明の詳細な実施形態を開示する。しかし、開示の実施形態は、種々の形で実施することができる本発明の単に例示としての実施形態に過ぎないことを理解されたい。それ故、本明細書に開示する特定の構造上および機能上の詳細は、本発明を制限するものと解釈すべきではなく、単に特許請求の範囲の基礎をなすものであり、当業者が本発明を実際に任意の適当な詳細な構造で種々に使用することを教示するための基礎を表すものと解釈すべきである。さらに、本明細書で使用する用語および句は、本発明を制限するものではなく、本発明を分かりやすく説明するためのものである。
【００１９】
本明細書で使用する場合、「ａ」または「ａｎ」という用語は、１つまたは複数を意味する。本明細書で使用する場合、複数という用語は、２つ以上を意味する。本明細書で使用する場合、もう１つのという用語は、少なくとも第２以上を意味する。本明細書で使用する場合、含んでいるおよび／または有しているという用語は、備えている（すなわち、オープン言語）を意味する。本明細書で使用する場合、結合しているという用語は、接続していることを意味するが、必ずしも直接的な接続でなくてもよいし、機械的な接続でなくてもよい。本明細書で使用する場合、プログラム、ソフトウェア・アプリケーション等という用語は、コンピュータ・システム上で実行するために設計された一連の命令を意味する。プログラム、コンピュータ・プログラムまたはソフトウェア・アプリケーションは、サブルーチン、関数、手順、オブジェクト方法、オブジェクト実施、実行可能なアプリケーション、アプレット、サブレット、ソース・コード、オブジェクト・コード、共有ライブラリ／動的負荷ライブラリおよび／またはコンピュータ・システム上で実行するように設計した他の一連の命令を含むことができる。
【００２０】
本発明の好ましい実施形態によれば、本発明は、デュアル・モード・モバイル装置で、ある無線通信システムから他の無線通信システムに呼をハンドオーバする時期を判断するために追加のトリガを使用することにより、従来技術の問題を有利に克服する。ＷＡＮシステム上で呼出しを行うコストが、ＷＬＡＮシステム上で呼出しを行うコストより高いこと、無線デバイス３０６が一度に１つだけのシステムに対してソフトウェアおよびハードウェアを動作している場合、電池の使用が有意に改善することを考えた場合、無線デバイス３０６にとって最も望ましいのは、できる限りＷＬＡＮシステムだけを使用することである。
【００２１】
図３を参照すると、本発明の好ましい実施形態は、図に示すように、ビル１０８内に多くの重なっているＷＬＡＮセル１０４を含む重なっているＷＡＮセル１０２からなる。ＷＬＡＮセル１０４は、ＩＥＥＥ標準８０２．１１またはＢｌｕｅｔｏｏｔｈのような任意の多くの異なる無線プロトコルを含むことができる。出口ポータル３０２は、ビルの出口２１２のところに位置する。出口ポータル３０２は、Ｂｌｕｅｔｏｏｔｈアクセス・ポイント（ＡＰ）または電子物品監視ポイントのような多数の無線周波（ＲＦ）または電磁デバイスのうちの少なくとも１つを備えることができる。モバイル装置３０６がこのポータルを通過すると、このモバイル装置は、無線デバイス３０６に、ＷＡＮへの登録を開始し（まだ登録していない場合）、ＷＡＮ／ＷＬＡＮシステム間の現在行われている任意の呼のハンドオーバを開始するように指示する信号を検出する。モバイル装置３０６が移動している方向を確認するために、この例示としての実施形態は、図４に示すように、２つのＲＦまたはＥＭラインを提案する。どのラインが最初に中断するかが無線デバイスの方向を示す。しかし、ＳＵ３０６は、また、かなりの時間の間ＷＬＡＮ上で動作していた場合には、方向がＷＬＡＮからＷＡＮへの方向なのかを判断することができるし、またその逆を行うこともできる。この場合には、第２の信号は必要ない。好ましい実施形態は、またＷＬＡＮシステムとＷＡＮシステムとの間に移行領域を提供するために、従来ボーダ・セル２１０と呼ばれてきたＷＬＡＮセルを含むこともできる。
【００２２】
図５は、例示としての移動加入者デバイス（ＳＵ）３０６のブロック図である。無線デバイス３０６は、１つはＷＬＡＮシステム用、１つはＷＡＮシステム用の２つの送受信機を含み、各送受信機は、アンテナ５０２、５０８、ＲＦフロント・エンド５０４、５１０、およびその対応するシステムの周波数および特性についての無線信号を送信し、受信し、符号化し、および復号するように設計されているデコーダ／エンコーダ５０６、５１２を含む。さらに、本発明の好ましい実施形態によれば、無線デバイス３０６は、また、もう１つのアンテナ５３０、ＲＦフロント・エンド５３２、およびＢｌｕｅｔｏｏｔｈシステム上で動作するためのデコーダ／エンコーダ５３４を含む追加の送受信機を有することができる。可能な場合はいつでも、アンテナ５０２、５０８、５３０、フロント・エンド５０４、５１０、５３２およびデコーダ／エンコーダ５０６、５１２、５３４は、共通の共有ハードウェアおよびソフトウェアにより実施することができる。
【００２３】
移動加入者ユニット３０６は、また、命令を処理し、計算を行い、ＳＵ３０６を通しての情報の流れを管理する１つまたは複数のプロセッサ／コントローラ５１８を含む。ＳＵ３０６は、また、好適には、ランダム・アクセス・メモリ（ＲＡＭ）であることが好ましいプログラム・メモリおよびデータ・メモリを含む主メモリ５１４を含み、また二次メモリ５１５を含むことができる。さらに、プロセッサ５１８は、主メモリ５１４と通信できるように結合している。図６により詳細に示す主メモリ５１４は、ユーザ・インタフェース６０２、ハンドオーバ・マネージャ６１４（以下にさらに詳細に説明する）、オペレーティング・システム・プラットフォーム６０４、セルラ・スタック６０８、ＷＬＡＮスタック６１０、Ｂｌｕｅｔｏｏｔｈスタック６１６およびグルー・ソフトウェア６０６を含む。オペレーティング・システム・プラットフォーム６０４は、データ・メモリ内に記憶しているメッセージ・データ６１２のようなリソース、タスクのスケジューリングを管理し、セルラ・スタック６０８、ＷＬＡＮスタック６１０、Ｂｌｕｅｔｏｏｔｈスタック６１６、およびプログラム・メモリ５１４内のハンドオーバ・マネージャ６１４の動作を処理する。
【００２４】
オペレーティング・システム・プラットフォーム６０４は、また、この例によれば、ディスプレイ・スクリーン５２２に通信できるように結合している図形および／または文字をベースとするディスプレイ・インタフェース５２１を管理する。情報は、情報を視覚的に出力する場合にはスクリーン５２２を介して、音声として出力する場合にはスピーカ５２６を介してＳＵ３０６のユーザに表示される。ユーザ入力インタフェース６０２は、キーパッド５２４およびＳＵ３０６のユーザからのユーザ入力を受信するためのマイクロホン５２８に通信できるように結合している。さらに、オペレーティング・システム・プラットフォーム６０４は、また、通常の当業者であれば周知の方法で、加入者ユニット３０６の多くの他の基本タスクを管理する。
【００２５】
グルー・ソフトウェア６０６（図６）は、ドライバ、スタックおよび低レベルのアプリケーション・プログラミング・インタフェース（ＡＰＩ）を含むことができ、リソースとの通信および加入者ユニット３０６での処理を管理するために、オペレーティング・システム・プラットフォーム６０４およびオペレーティング・システム・プラットフォーム６０４上で稼働する互換性を有するアプリケーションが使用するための基本機能構成要素を提供する。
【００２６】
例示としての移動加入者ユニット３０６は、また、電池、ＤＣアダプタ、またはＡＣアダプタのような無線デバイス３０６に電力を供給するための電源５２０を含む。電源５２０は、移動加入者ユニット３０６全体に電力を供給するが、図面を見やすくするために、図には図５のプロセッサ／コントローラ５１８への接続しか示していないことに留意されたい。当業者にとってこのことは自明のことであろう。
【００２７】
移動加入者ユニット３０６は、また、プロセッサ／コントローラ５１８に通信できるように結合している典型的な電子セキュリティまたは盗難防止システム（例えば、ＲＦタグ）で使用するような赤外線送信機５３６および／または電子セキュリティ・トリガ・デバイス５３８を含むことができる。
【００２８】
他の実施形態の場合には、二次メモリ５１５は、コンピュータ・プログラムまたは他の命令をＳＵ３０６内にロードすることができるようにするための他の類似の手段を含むことができる。このような手段は、例えば、着脱可能な記憶装置およびインタフェース（図示せず）を含むことができる。このような手段の例としては、プログラム・カートリッジおよび（ビデオ・ゲーム・デバイスで使用するような）カートリッジ・インタフェース、着脱可能なメモリ・チップ（ＥＰＲＯＭまたはＰＲＯＭなど）および関連するソケット、および他の取り外すことできる記憶装置、およびソフトウェアおよびデータを着脱可能な記憶装置からＳＵ３０６へ転送することができるようにするインタフェース等がある。
【００２９】
本明細書においては、「コンピュータ・プログラム媒体」、「コンピュータ使用可能媒体」、「機械読み取り可能媒体」および「コンピュータ読み取り可能媒体」という用語は、主メモリ５１４および二次メモリ５１５、着脱可能なストレージ・ドライブ、ハード・ディスク・ドライブ内にインストールされているハード・ディスクおよび信号のような媒体を一般的に指すために使用される。これらのコンピュータ・プログラム製品は、移動加入者ユニット３０６にソフトウェアを提供するための手段である。コンピュータ読み取り可能媒体により、ＳＵ３０６は、コンピュータ読み取り可能媒体から、データ、命令、メッセージまたはメッセージ・パケット、および他のコンピュータ読み取り可能情報を読むことができる。例えば、コンピュータ読み取り可能媒体は、フレキシブル・ディスク、ＲＯＭ、フラッシュ・メモリ、ディスク・ドライブ・メモリ、ＣＤ−ＲＯＭおよび他の永続的記憶装置のような不揮発性メモリを含むことができる。例えば、コンピュータ読み取り可能媒体は、コンピュータ・システム間でデータおよびコンピュータ命令のような情報をトランスポートする際に役に立つ。さらに、コンピュータ読み取り可能媒体は、コンピュータがこのようなコンピュータ読み取り可能情報を読むことができるようにする有線ネットワークまたは無線ネットワークを含むネットワーク・リンクおよび／またはネットワーク・インタフェースのような一時的状態媒体内にコンピュータ読み取り可能情報を含むことができる。
【００３０】
この例示としてのシステムに関連して種々のソフトウェア実施形態について説明する。この説明を読めば、通常の当業者であれば、他のコンピュータ・システムおよび／またはコンピュータ・アーキテクチャによる本発明の実施方法を理解することができるだろう。
【００３１】
図７は、ＷＬＡＮの有効範囲のあるエリアからＷＡＮの有効範囲の他のエリアへ移動したり、その逆の移動を行うためのステップを概略示す、図３の例示としてのシステムの動作フローチャートである。好適な方法は、ステップ７０２から開始するが、このステップにおいてハンドオーバ・マネージャ６１４は、プロセスを開始するトリガ・イベントを検出しようとする。トリガ・イベントは、ＷＬＡＮボーダ・セル２１０の存在を検出するステップと（このプロセスについては以下にさらに詳細に説明する）、ＷＬＡＮの有効範囲の信号品質の劣化を検出するステップと、または呼の開始を検出するステップとを含むことができる。図の特定の例の場合には、ステップ７０２において、トリガ・イベントがＷＬＡＮのボーダ・セル２１０を検出する。この時点で、呼が進行中でない場合、このユニット３０６が、このルーチンを周期的に実行するが、呼出し中このルーチンの実行の頻度が増大することに留意することは重要である。ステップ７０４において、ユニットは、ボーダ・セル２１０またはＷＬＡＮ信号の劣化を検出し、好適には、Ｂｌｕｅｔｏｏｔｈアクセス・ポイントを有することができることが好ましい、出口ポータル３０２からの信号の検索を開始する。ハンドオーバ・マネージャ６１４が、出口ポータル３０２からの第１の信号を検出した場合には、無線デバイス３０６は、ステップ７０６において、出口ポータル３０２からの第２の信号の検索を開始する。各信号は、ステップ７０８において、無線デバイス３０６が、どの信号を最初に受信したのかを決定することにより、無線デバイスが移動中の方向を決定することができるようにする一意の識別子を有することができる。ユニット３０６が第１の（現在の）システムの有効範囲エリアを出ようとしている場合には、ハンドオーバ・マネージャ６１４は、ステップ７１０において、第２のシステムとの登録シーケンスを開始する（まだ登録していない場合）。そうでない場合には、ユニット３０６はプロセスから抜けだす。移動機３０６が新しい（第２の）システとの登録を終わると、ステップ７１２において、第２の通信システムを介して現在および以降の呼出しが行われる。次に、ユニット３０６は、ステップ７１４において、第１のシステムのスタックおよびハードウェアの実行を終了することができ、それにより電池の寿命が延びる。
【００３２】
必要に応じて、ハンドオーバ・マネージャ６１４は、ＷＬＡＮボーダ・セル２１０を使用しないでプロセスを開始することができる。この場合、プロセスは、出口ポータル３０２からの第１の信号または呼の開始を検出することにより開始する。この実施形態を使用すれば、ＷＬＡＮ有効範囲エリア内の少なくとも１つのセルをボーダ・セル２１０として指定しなくても、通信システム間で平滑な移行を行うことができる。
【００３３】
好ましい実施形態に価値ある強化を行うことにより、ＷＬＡＮの有効範囲エリア内のアクセス・ポイントは、ＷＬＡＮを介してローカル的に使用することができるＷＡＮサービスの利用度についての詳細な特定の情報を提供することができる。これにより、モバイル装置３０６は、何を参照するのか、およびどこで、いつ参照するのかの両方で遥かにスマートになることができる。この機能は、システム選択情報に関連してＷＬＡＮインタフェース上のアクセス・ポイントにより補助データを提供し、必要に応じて、当該ＷＡＮシステム上のチャネル状態についての動的な情報を提供する。
【００３４】
企業内においてまたは家庭内においてすら、かなりの数のＷＬＡＮボーダ・アクセス・ポイントが存在しているが、そのうちのほんの少数だけが、実際にＷＡＮへのまたはからの移行ポイント（ボーダ・セル）としての働きをしている。例えば、図８に示すように、ウィンドウ・オフィス８０６においては、移動機３０６は、ＷＬＡＮまたはＷＡＮ上で同様にうまく動作することができるが、ＷＡＮへのハンドオフを行うようにする必要はない。この場合、単に好適なシステムになる。ユニット３０６は、ＷＬＡＮシステム上に留まり、他のものを無視する。しかし、ロビーに位置するアクセス・ポイント（またはボーダ・セル８０２）は全く異なる。何故なら、ハンドオーバが起こる可能性が非常に高いからである。この実施形態は、これらの問題を緩和するために２つのインジケータの同報通信を含む。第１のインジケータは、単なるＷＡＮ情報利用度インジケータである。設定した場合、移動機３０６は、アクセス・ポイントに問い合わせをすることができること、またはビーコン情報を復号し、使用できるＷＡＮ情報を入手することができることを知っている。第２のインジケータは、アクセス・ポイント有効範囲領域をＷＡＮへの移行領域（ボーダ・セル８０２）として識別する。ボーダ・セル・インジケータは、また、有効範囲ボーダ・セルが、内部ボーダ・セルなのか外部ボーダ・セルなのかというようなボーダ・セル自身についての情報を提供することもできる。
【００３５】
図９は、無線ユニットがボーダ・セル内に位置しているのかどうかを判断するための好適な方法を示す（ステップ７０２）。無線デバイス３０６のハンドオーバ・マネージャ６１４は、その状況についてＷＬＡＮのアクセス・ポイントに問い合わせることにより、ステップ９０２においてこのプロセスを開始する。状況データは、ボーダ・セル・インジケータおよびＷＡＮ情報インジケータを含む。ステップ９０４においてボーダ・セル・インジケータを設定しなかった場合には、ハンドオーバ・マネージャ６１４は、ステップ９０６において無線デバイス３０６が、ボーダ・セル２１０内に位置していないと判断し、プロセスから抜けだす。ボーダ・セル・インジケータを設定した場合には、ハンドオーバ・マネージャ６１４は、ステップ９０８において無線デバイス３０６がボーダ・セル２１０の有効範囲エリア内に位置すると判断する。次に、無線デバイス３０６は、ステップ９１０においてＷＡＮ情報インジケータが設定されているかどうかを判断する。ステップ９１２において、ＷＡＮ情報インジケータが設定されていない場合には、無線デバイス３０６は、このエリア内にはＷＡＮシステムについての使用できる情報がないと判断して、ステップ９１６においてＷＡＮ有効範囲に対する正しい設定を判断するために、走査を行わなければならない。しかし、ＷＡＮ情報インジケータが設定されている場合には、無線デバイス３０６は、アクセス・ポイントに問い合わせを行うこともできるし、またはステップ９１４において使用することができるＷＡＮ情報を入手するためにビーコン・フレームを復号することもできる。ＷＬＡＮまたは走査により入手した使用できるＷＡＮ情報は、それによりハンドオーバを行う正しいＷＡＮを決定するためにステップ９１８において使用することができる。これによりＷＡＮネットワークへの移行をもっと迅速にもっと効率的に行うことができる。
【００３６】
また、上記プロセスにより、モバイル装置３０６は、優先ネットワークを選択することができる。一例としての図８を参照しよう。オフィス８０６においては、ＷＡＮ情報利用度インジケータが設定されるが、移行領域インジケータは解除される。この環境においては、移動機３０６は、必要に応じて、情報を使用することもできるし、または情報を無視することもできる。例えば、ビジターは、自分が一番の選択ではないサービス・プロバイダが内部ＷＬＡＮを運営している企業内に入る。しかし、ビル８０４の中心においては、自分のＷＡＮの有効範囲を使用することができず、ＷＬＡＮ上に移動しなければならない。この時点で、ビジターは有効範囲を回復するが、その有効範囲は自分の好適なシステムではない。自分の好適なＷＡＮに対して周期的なバックグラウンド走査を行うのではなく、ビジターは自分がビル内を通過する時にアクセス・ポイントが提供した情報に依存する。ビジターが会合のためにウィンドウ・オフィス８０６に入ると、ビジターの無線デバイス３０６は、ＷＡＮ情報利用度インジケータ・セットを含む同報通信を受信した後で、システム情報についてアクセス・ポイントに問い合わせを行い、自分の好適なシステムが再び使用できることが分かった場合には、ＷＡＮにスイッチ・バックする。ロビー８０２においては、両方のインジケータが設定される。これらの状況の場合には、その最も好適なシステムとしてＷＬＡＮを有しているユニット３０６でも、次のレベルの警戒体制に移行し、ユーザが実際にＷＡＮシステムの外に移動した場合には、ハンドオフを確実に可能にすることを行う。
【００３７】
ＷＡＮシステム選択情報は、移動機３０６が、検索時間を有意に短縮する最も好適なＲＡＴを提供する最も好適なプロバイダに直接行くことができるように、サービス・プロバイダ、無線アクセス技術（ＲＡＴ）およびチャネル情報のようなデータを含む。もう１つのオプションとして構成要素は、既知のＷＬＡＮタイミングへの関連するＷＡＮタイミングが、タイミングの不確実性を低減することができるように、タイミング情報のような動的情報を含む。これは、いつ、ＷＬＡＮ領域内において、ＧＳＭシステム上で次の高速関連制御チャネル（ＦＡＣＣＨ）バーストが起こるのかを表示するという形をとることができる。他の動的情報は、パイロット強度測定を含むことができる。アクセス・ポイントは、この情報を同報通信によりまたは要求された場合にＷＬＡＮ上で使用することができるようにする。
【００３８】
ＷＬＡＮシステムとＷＡＮシステム間でスムースな移行を行うことができるように、他の能動的および受動的解決方法が提案されている。能動的解決方法は、モバイル装置３０６がハンドオーバを開始する場合と定義され、受動的解決方法は、インフラストラクチャが、モバイル装置に第２のシステムおよび／またはハンドオーバに対して、システム走査を開始するように助言する場合と定義される。
【００３９】
図１０は、第１の他の能動的実施形態を示す。この場合、２つの論理的な連続している（および一意に識別された）タイプのＷＬＡＮボーダ・セル（ＡＰ）を使用する。一方のタイプは施設の入口／出口点（内部ボーダ・セル１０１０）の付近の室内に位置していて、他のタイプは、施設の入口／出口点（外部ボーダ・セル１０１２）付近の戸外の方向に位置する。各ボーダ・セルのタイプを決定するためにボーダ・セル・インジケータを使用することができる。
【００４０】
図１１の動作フローチャートは、図１０のＷＬＡＮの有効範囲からＷＡＮの有効範囲へ移動するためのこのもう１つの改良形ハンドオーバ・プロセスをサポートするロジックを示す。ＳＵ３０６が、ステップ１１０２において、内部ボーダ・セル１０１０である第１のボーダ・セルを検出すると、ＳＵ３０６は、ステップ１１０４において、ＷＡＮスタックにＷＡＮシステムとの登録を開始させる。この時点で、ＳＵ３０６の呼のハンドオーバおよび呼の開始行動は修正されない。ＳＵ３０６が、ステップ１１０６において、外部ボーダ・セル１０１２である第２のボーダ・セルを検出した場合には、ＳＵ３０６は、ステップ１１１０においてハンドオーバ決定状況を判断するために、ステップ１１０８においてＷＬＡＮのパラメータの測定を開始する。例えば、ＷＬＡＮ信号強度が急速にまたは非常に大きく減衰した場合には、ＳＵ３０６は、ＷＬＡＮの有効範囲を離れつつあり、任意の現在の呼をＷＡＮにハンドオーバし、ＷＡＮを介して後の呼を開始するのかも知れない。しかし、ＷＬＡＮ信号強度が良好のままである場合には、ＳＵ３０６は、自分がセル内に留まっていて（おそらくユーザが一息入れていて）、ハンドオーバは起こらないと結論することができる。ＳＵ３０６が、ステップ１１０６において外部ボーダ・セル１０１２を検出しなかった場合で、ステップ１１１４において所定の時間が経過した場合には、ＳＵ３０６は、ＷＡＮシステムとの登録を取り消し、ステップ１１１６においてＷＡＮスタックおよびハードウェアをオフにする。この時間中、ＳＵ３０６は、他の内部ボーダ・セルを検出することができるが、外部ボーダ・セルの存在が検出されない限り、ハンドオーバ・プロセスは継続されない可能性があることに留意されたい。また、内部および外部セルを逆の順序で発見することもでき、そうすることにより、ＳＵ３０６はＷＬＡＮを介して現在および以降の呼出しのうちの１つを行う。
【００４１】
例示としての実施形態によれば、ＳＵ３０６は、ＷＬＡＮセルのビーコン・フレームおよび／またはプローブ・レスポンスを検出することにより、またはそれに登録することにより、ＷＬＡＮボーダ・セルを検出することができる。多くの場合、どちらかといえば小さいボーダ・セルを使用したがるので、第１の実施態様、すなわち、それに登録しなくてもボーダ・セルのビーコン・フレームを検出する方法が好ましい。
【００４２】
非常に短い範囲（例えば、１秒の移行時間）の内部ボーダ・セル１０１０を使用し、ＳＵ３０６に内部ボーダ・セル（それに登録する）に決してスイッチしないように指示することにより、あるビル構成に対してさらなる改良を行うことができる。代わりに、ＳＵ３０６は、直ちにハンドオーバ・プロセスを開始する。
【００４３】
例示としての実施形態によれば、ＳＵ３０６は、呼出しを行っていない場合、内部ボーダ・セル１０１０および外部ボーダ・セル１０１２のＷＬＡＮ搬送波対干渉比（Ｃ／Ｉ）を測定することができ、それにより、内部ボーダＷＬＡＮセル１０１０の有効範囲エリア内で仕事をしていてある位置に留まっているユーザのためにＷＡＮ上でのＳＵ３０６の登録を防止する目的で、内部ボーダ１０１０内にユーザが留まっているかどうかについてインテリジェントな決定を行うことができる。
【００４４】
例示としての実施形態によれば、ＳＵ３０６は、呼出し中に、内部ボーダ・セル１０１０および外部ボーダ・セル１０１２のＷＬＡＮ  Ｃ／Ｉを測定し、それによりハンドオーバをいつ開始すべきかについてインテリジェントな決定を行う。ハンドオーバ・マネージャ６１４が、ハンドオーバの成功率および各出口／入口点に対するタイミングを入手していて、特定の入口／出口点を通過する加入者の過去の行動に基づいて、ハンドオーバを最適にトリガするためにインテリジェントなアルゴリズムを適用すればこれを強化することができる。
【００４５】
例示としての実施形態によれば、能動的ポータルでの解決方法は、出入口２１２に位置する拡散赤外線デバイス（図示せず）、およびモバイル装置３０６上の赤外線センサ５３６を使用する。モバイル装置３０６が２つの連続している赤外線信号を通過すると、ハンドオーバ・マネージャ６１４はハンドオーバ・プロセスを開始する。
【００４６】
例示としての実施形態によれば、受動的解決方法は、盗難を検出するために小売店の入口／出口の通路のところで使用するような、または通過する従業員のバッジを読み出すために会社の入口／出口の通路のところで使用するような電子物品監視点を使用する。電子物品監視点は、受信プレートにインフラストラクチャを含むモバイル装置３０６の識別を通信させる。次に、インフラストラクチャは、移動機３０６に、第２のシステムの走査を開始するように、および／またはハンドオフ手順を開始するように助言する。このことは各モバイル装置３０６内に異なる干渉署名を必要とすることに留意されたい。
【００４７】
例示としての実施形態によれば、受動的解決方法は、インフラストラクチャにメッセージを送るために、ドア２１２の動作と結合することができるまたはできない動き検出装置を使用する。この場合、インフラストラクチャは、そのドア２１２をカバーしているアクセス・ポイントに対して、ハンドオフ手順を開始するために、その有効範囲内のすべての無線デバイス３０６にパケットの同報通信を行うように指示する。このメッセージを受信する無線デバイス３０６は、呼出し中でない場合には、このメッセージを無視する。
【００４８】
別の方法としては、動き検出装置または回転式ゲートは、無線システム１からシステム２の方向にドアに向かって歩いている人を検出することができる。動き検出装置または回転式ゲートは、ポータルと機能的に結合し、ポータルに第１の信号を送信するように信号を送ることができる。この場合、無線デバイス３０６内の判断ステップは、単に第１の信号の存在を判断するだけである。動き検出装置は、また方向を判断することができ、第１の信号は方向に関する情報を含むことができる。次に、この情報を判断ステップで使用することができる。
【００４９】
例示としての実施形態によれば、受動的解決方法は、バッジを使用する場合には、メッセージがインフラストラクチャに送られるように、バッジイン／バッジアウト・システム内でインフラストラクチャと結合する。次に、インフラストラクチャは、バッジを識別した場合には、モバイル装置３０６にメッセージを送信し、モバイル装置３０６に登録およびまたはハンドオフ手順をトリガするように求める。バッジ・システムを通してモバイル装置３０６を識別できない場合には、上記解決方法と同様に、インフラストラクチャはそのドア２１２にサービスを提供しているアクセス・ポイントにメッセージを送信し、次に、アクセス・ポイントはその有効範囲内のすべてのモバイル装置３０６にメッセージの同報通信を行い、呼出しを行っている無線デバイス３０６は、ハンドオフ手順を開始する。
【００５０】
本発明は、ハードウェア、ソフトウェアまたはハードウェアとソフトウェアとの組合わせにより実行することができる。本発明のある実施形態は、また本明細書に記載する方法を実施することができるようにするすべての機能を備えていて、コンピュータ・システム内にロードした場合、これら方法を実行することができるコンピュータ・プログラム製品内に埋め込むことができる。本発明で使用するコンピュータ・プログラム手段またはコンピュータ・プログラムは、直接、またはａ）他の言語、コードまたは表記法への変換；およびｂ）異なる材料の形での複製の一方または両方の後で、情報処理機能を有するシステムに特定の機能を行わせるための一組の命令の任意の言語、コードまたは表記法での任意の表現を示す。
【００５１】
コンピュータ・システムは、とりわけ、１つまたは複数のコンピュータおよびコンピュータ・システムが、コンピュータ読み取り可能媒体からのデータ、命令、メッセージまたはメッセージ・パケット、および他のコンピュータ読み取り可能情報を読むことができるようにする少なくともコンピュータ読み取り可能媒体を含むことができる。コンピュータ読み取り可能媒体は、ＲＯＭ、フラッシュ・メモリ、ディスク・ドライブ・メモリ、ＣＤ−ＲＯＭおよび他の永続的記憶装置のような不揮発性メモリを含むことができる。さらに、コンピュータ読み取り可能媒体は、例えば、ＲＡＭ、バッファ、キャッシュ・メモリ、およびネットワーク回路のような揮発性記憶装置を含むことができる。さらに、コンピュータ読み取り可能媒体は、コンピュータ・システムがこのようなコンピュータ読み取り可能情報を読むことができるようにする有線ネットワークまたは無線ネットワークを含むネットワーク・リンクおよび／またはネットワーク・インタフェースのような一時的状態媒体内のコンピュータ読み取り可能情報を含むことができる。
【００５２】
コンピュータ・プログラム（コンピュータ制御ロジックとも呼ばれる）は、主メモリ４１４および／または二次メモリ５１５に記憶される。コンピュータ・プログラムは、また１つまたは複数の無線受信機を介して「空気中を通して」受信することができる。このようなコンピュータ・プログラムは、実行した場合、加入者ユニット１０６が、本明細書に記載する本発明の機能を実行することができるようにする。より詳細に説明すると、コンピュータ・プログラムは、実行した場合、プロセッサ４１８が加入者ユニット１０６の機能を実行することができるようにする。それ故、このようなコンピュータ・プログラムは、加入者ユニット１０６のコントローラを表す。
【００５３】
ＷＬＡＮのハンドオーバ行動を改善するための新規なシステムおよび関連する方法は、ハンドオーバの信頼性を改善し、それによりＷＬＡＮを通してもっと多くの呼出しをできるようにすることにより、コストを有意に節減できるようにするようなデュアル・モード・セルラ通信システム（ＷＬＡＮ／ＷＡＮシステム）に対して有意な利点を提供する。ＷＡＮシステムは、もはや、ユーザがボーダ・セルを使用している場合ですら、ＷＬＡＮ有効範囲内に留まるユーザを呼出すという不必要な負荷をかけることはない。かなり長い時間、ＷＬＡＮボーダ・セル内で働いたり、留まるユーザは、本発明の新規なシステムおよび方法により特に利益を受ける。実際の無線デバイスは、これらユーザに対する電池の寿命が改善されるので利益を受ける。何故なら、無線デバイスは、ユニットが両方のシステムのハードウェアおよびソフトウェアを同時に実行するための時間が短縮するからである。
【００５４】
本発明の特定の実施形態について説明してきたが、通常の当業者であれば、本発明の精神および範囲から逸脱することなしに、この特定の実施形態を種々に変更することができることを理解することができるだろう。それ故、本発明の範囲は、特定の実施形態に限定されない。さらに、添付の特許請求の範囲は、任意のおよびすべてのこのような用途、修正、および本発明の範囲内に入る実施形態をカバーするものである。
【図面の簡単な説明】
【００５５】
【図１】重なっているＷＡＮセルおよびＷＬＡＮセルを含む典型的な従来技術の無線通信システムを示すブロック図。
【図２】重なっているＷＡＮセル、ＷＬＡＮセルおよびビルの入口点のボーダＷＬＡＮセルを含む典型的な従来技術の無線通信システムを示すブロック図。
【図３】本発明の好ましい実施形態による、重なっているＷＡＮセル、ＷＬＡＮセル、ビルの入口点のボーダＷＬＡＮセル、および出入口のところの出口ポータルを含む無線通信システムのブロック図。
【図４】本発明の好ましい実施形態による、出口点のところに位置する電子監視デバイスの図面。
【図５】本発明の好ましい実施形態による、図３のシステムの移動通信装置のブロック図。
【図６】本発明の好ましい実施形態による、図３のシステムの移動通信装置の例示としてのメモリの内容を示すブロック図。
【図７】本発明の好ましい実施形態による、ＷＬＡＮとＷＡＮとの間のハンドオーバ・プロセスの一部を示す動作フローチャート。
【図８】本発明の他の実施形態による、ＷＬＡＮアクセス・ポイントが送信した２つの表示を使用するシステムへのオプションとしての改善を示す、図３のシステムのより詳細なブロック図。
【図９】本発明の好ましい実施形態による、ＷＬＡＮアクセス・ポイントのところの２つの追加の同報通信インジケータを使用するＷＬＡＮとＷＡＮシステムとの間のハンドオーバ・プロセスの一部を示す動作フローチャート。
【図１０】本発明の他の実施形態による、重なっているＷＡＮセル、ＷＬＡＮセル、およびビルの入口点の内部および外部の連続しているボーダＷＬＡＮセルを含む無線通信システムを示すブロック図。
【図１１】本発明の他の実施形態による、ＷＬＡＮとＷＡＮとの間のハンドオーバ・プロセスの一部を示す動作フローチャート。
【図１】
2007503759.tif 000003
【図２】
2007503759.tif 000004
【図３】
2007503759.tif 000005
【図４】
2007503759.tif 000006
【図５】
2007503759.tif 000007
【図６】
2007503759.tif 000008
【図７】
2007503759.tif 000009
【図８】
2007503759.tif 000010
【図９】
2007503759.tif 000011
【図１０】
2007503759.tif 000012
【図１１】
2007503759.tif 000013
【国際調査報告】
2007503759.tif 000014